(57)【要約】【課題】自分の写真や集合写真等を自分で画像を確認して撮影する。【解決手段】レンタルカメラ７を保持した客が撮影スポットエリアＡに入ると、確認用の電波が無線送受信機４に受信され、無線送受信アダプタ６のＩＤ番号が確認される。無線送受信機４から固定カメラ５の利用を促す電波が送信され、無線送受信アダプタ６の赤色ＬＥＤが点灯する。無線送受信アダプタ６の利用ボタンを押すと、固定カメラ５が撮像するモニタ画像がレンタルカメラ７の液晶ディスプレイに表示される。無線送受信アダプタ６のリモートズームボタンを操作して所望の画角にセットしてリモートシャッタボタンを押圧すると、固定カメラ５のシャッタが切られ、画像信号が無線送受信機４から発信される。レンタルカメラ７は無線送受信アダプタ６で受け取った画像信号を画像データに変換してメモリカード２０に記憶する。【選択図】　　　　図２
2004128842.tif 000002
【特許請求の範囲】
【請求項１】
撮影した撮影画像の画像データを記憶媒体に記憶するとともに撮影画像を液晶ディスプレイに表示する第１デジタルカメラと、この第１デジタルカメラに電気的に接続される第１無線通信手段と、所定のエリア内を撮影するために所定位置に設置された第２デジタルカメラと、第２デジタルカメラに電気的に接続され、第１無線通信手段との間で通信を行う第２無線通信手段とから構成され、第２デジタルカメラによって撮像されるモニタ画像の画像信号を第２無線通信手段が発信して第１無線通信手段が受信することにより第１デジタルカメラの液晶ディスプレイに前記モニタ画像を表示するとともに、第１無線通信手段から撮影の指令信号が発信された際には、この指令信号を第２無線通信手段が受信して第２デジタルカメラが撮影を行い、この撮影画像の画像信号を第２無線通信手段が発信して第１無線通信手段が受信することにより第１デジタルカメラが撮影画像の画像信号を画像データに変換して記憶媒体に記憶することを特徴とするデジタルカメラの遠隔撮影システム。
【請求項２】
前記第１無線通信手段から撮影画角を変更する指令信号が発信された際には、この指令信号を第２無線通信手段が受信することにより第２デジタルカメラがズーミング動作を行って撮影画角を変更することを特徴とする請求項１記載のデジタルカメラの遠隔撮影システム。
【請求項３】
撮影した撮影画像の画像データを第１記憶媒体に記憶するとともに撮影画像を液晶ディスプレイに表示する第１デジタルカメラと、この第１デジタルカメラに電気的に接続される第１無線通信手段と、テーマパーク内に設定された複数のエリアにそれぞれ設置された第２デジタルカメラと、第２デジタルカメラに電気的に接続された第２無線通信手段と、この第２無線通信手段から送信された第２デジタルカメラによる撮影画像の画像信号を受信して画像データに変換してから第２記憶媒体に記憶するとともに第２記憶媒体から画像データを読み出して画像信号を第１無線通信手段に向けて発信する画像データストック手段と、被撮影者が第１デジタルカメラを保持して乗車する移動車両の位置を検出する位置検出手段とから構成され、前記エリア内に進入してきた移動車両上の被撮影者を第２デジタルカメラが自動撮影してこの撮影画像の画像信号を第２無線通信手段から送信し、これを受信した画像データストック手段が撮影画像の画像データを第２記憶手段に記憶するとともに、最後のエリアの外に出た移動車両が位置検出手段により検出された際には、第２記憶媒体から該当する画像データを読み出してそのプレビュー画像信号を発信し、これを第１無線通信手段が受信して第１デジタルカメラの液晶ディスプレイにプレビュー画像を表示した後、第１無線通信手段から画像データを受け取る旨の指令信号を発信した際には、これを受信した画像データストック手段が第２記憶媒体から画像データを読み出して画像信号として発信し、これを受信した第１無線通信手段が画像信号を第１デジタルカメラに送り、第１デジタルカメラが画像信号を画像データに変換して第１記憶媒体に記憶することを特徴とするデジタルカメラの遠隔撮影システム。
【発明の詳細な説明】
【０００１】
【発明の属する技術分野】
本発明は、デジタルカメラの遠隔撮影システムに関し、更に詳しくは自分の写真や集合写真等を自分で画像を確認して手に入れることができるデジタルカメラの遠隔撮影システムに関するものである。
【０００２】
【従来の技術】
テーマパーク等のコースに沿って複数個の無線送信機付きカメラを配設し、このカメラで撮影した映像をコース上を移動する移動体に搭載された受信機付き映像記録手段に無線伝送して映像を受信機付き映像記録手段の記録媒体に記録する映像撮影記録装置が知られている（特許文献１参照）。
【０００３】
【特許文献１】
特開２００２−１５２７２０号公報
【０００４】
【発明が解決しようとする課題】
上記特許文献１記載のような映像撮影記録装置は、無線送信機付きカメラがかってにシャッタを切るため、お仕着せ的な写真になりがちであり、顧客の満足度は低いものである。
【０００５】
本発明はこのような問題を解決するためになされたもので、自分の写真や集合写真等を自分で画像を確認して手に入れることができるデジタルカメラの遠隔撮影システムを提供するものである。
【０００６】
【課題を解決するための手段】
本発明のデジタルカメラの遠隔撮影システムは、撮影した撮影画像の画像データを記憶媒体に記憶するとともに撮影画像を液晶ディスプレイに表示する第１デジタルカメラと、この第１デジタルカメラに電気的に接続される第１無線通信手段と、所定のエリア内を撮影するために所定位置に設置された第２デジタルカメラと、第２デジタルカメラに電気的に接続され、第１無線通信手段との間で通信を行う第２無線通信手段とから構成され、第２デジタルカメラによって撮像されるモニタ画像の画像信号を第２無線通信手段が発信して第１無線通信手段が受信することにより第１デジタルカメラの液晶ディスプレイに前記モニタ画像を表示するとともに、第１無線通信手段から撮影の指令信号が発信された際には、この指令信号を第２無線通信手段が受信して第２デジタルカメラが撮影を行い、この撮影画像の画像信号を第２無線通信手段が発信して第１無線通信手段が受信することにより第１デジタルカメラが撮影画像の画像信号を画像データに変換して記憶媒体に記憶するものである。また、前記第１無線通信手段から撮影画角を変更する指令信号が発信された際には、この指令信号を第２無線通信手段が受信することにより第２デジタルカメラがズーミング動作を行って撮影画角を変更するものである。
【０００７】
また、撮影した撮影画像の画像データを第１記憶媒体に記憶するとともに撮影画像を液晶ディスプレイに表示する第１デジタルカメラと、この第１デジタルカメラに電気的に接続される第１無線通信手段と、テーマパーク内に設定された複数のエリアにそれぞれ設置された第２デジタルカメラと、第２デジタルカメラに電気的に接続された第２無線通信手段と、この第２無線通信手段から送信された第２デジタルカメラによる撮影画像の画像信号を受信して画像データに変換してから第２記憶媒体に記憶するとともに第２記憶媒体から画像データを読み出して画像信号を第１無線通信手段に向けて発信する画像データストック手段と、被撮影者が第１デジタルカメラを保持して乗車する移動車両の位置を検出する位置検出手段とから構成され、前記エリア内に進入してきた移動車両上の被撮影者を第２デジタルカメラが自動撮影してこの撮影画像の画像信号を第２無線通信手段から送信し、これを受信した画像データストック手段が撮影画像の画像データを第２記憶手段に記憶するとともに、最後のエリアの外に出た移動車両が位置検出手段により検出された際には、第２記憶媒体から該当する画像データを読み出してそのプレビュー画像信号を発信し、これを第１無線通信手段が受信して第１デジタルカメラの液晶ディスプレイにプレビュー画像を表示した後、第１無線通信手段から画像データを受け取る旨の指令信号を発信した際には、これを受信した画像データストック手段が第２記憶媒体から画像データを読み出して画像信号として発信し、これを受信した第１無線通信手段が画像信号を第１デジタルカメラに送り、第１デジタルカメラが画像信号を画像データに変換して第１記憶媒体に記憶するものである。
【０００８】
【発明の実施の形態】
本発明の遠隔撮影システムを適用したテーマパークを概略的に示す図１において、テーマパークには、車両や歩行者等の移動体が通過するコース２が作られている。本実施形態では、コース２に沿って客が徒歩で進むものとする。なお、符号２ａはコース２の入口，符号２ｂはコース２の出口であり、これらを仕切る位置には、サービスセンター２ｃが設けられている。
【０００９】
コース２に沿って仮想線の円で示す９個の撮影スポットエリアＡ〜Ｉが設定されており、この撮影スポットエリアＡ〜Ｉ内の各々には、図２に示すように、無指向性のアンテナ３が設置されている。そして、アンテナ３には、無線送受信機４を介してデジタルカメラである固定カメラ５が接続されている。なお、本実施形態では、固定カメラ５は、撮影スポットエリアＡ〜Ｉの外に設置してあるが、撮影スポットエリアＡ〜Ｉの中に設置するようにしてもよい。
【００１０】
無線送受信機４及び固定カメラ５は常時稼働している。無線送受信機４は、客が借りたデジタルカメラであるレンタルカメラ７に取り付けられた無線送受信アダプタ６から発せられている確認用の電波を受信し、無線送受信アダプタ６のＩＤ番号を確認した後、固定カメラ５による遠隔撮影を促す信号を撮影スポットエリアＡ〜Ｉ内に発信する。無線送受信機４の発信強度は、電波の到達範囲が撮影スポットエリアＡ〜Ｉ内に限定されるように設定されている。
【００１１】
前記レンタルカメラ７を示す図３において、レンタルカメラ７の前部にはズームレンズ８が設けられ、上部にはシャッタボタン９，ＵＳＢ（Ｕｎｉｖｅｒｓａｌ　ＳｅｒｉａｌＢｕｓ）コネクタ１０が設けられている。このＵＳＢコネクタ１０に、無線送受信アダプタ６のＵＳＢプラグ１１が差し込まれ、レンタルカメラ７と無線送受信アダプタ６とが電気的に接続される。また、無線送受信アダプタ６の上部には、無線送受用のアンテナ１２が設けられている。
【００１２】
なお、客は、自分の所有しているデジタルカメラが、レンタルカメラ７と同じ機種であるか、無線送受信アダプタ６が適合するタイプである場合には、無線送受信アダプタ６のみを借り、自分のデジタルカメラに装着して使用することもできる。
【００１３】
図４に示すように、レンタルカメラ７の背面には、ファインダ１４，スピーカ１５，モードスイッチ１６，ズームボタン１７，液晶ディスプレイ１８等が設けられている。また、レンタルカメラ７の下部には、スマートメディア（商品名）等のメモリカード２０を挿脱するメモリスロット（図示せず）が設けられている。
【００１４】
無線送受信アダプタ６の背面には、赤色ＬＥＤ２１，緑色ＬＥＤ２２，利用ボタン２３，切りボタン２４，リモートズームボタン２５，リモートシャッタボタン２６が配設されている。無線送受信アダプタ６は、レンタルカメラ７に装着された時から常時断続的に確認用の電波を発信している。この電波は、無線送受信アダプタ６固有のＩＤ番号を示す信号を含んでおり、その発信強度は、電波の到達範囲が撮影スポットエリアＡ〜Ｉ内に限定されるように設定されている。
【００１５】
無線送受信アダプタ６が発信している確認用の電波を無線送受信機４が受信すると、無線送受信機４は無線送受信アダプタ６のＩＤ番号を確認し、折り返して利用を促す電波を送信する。この無線送受信機４からの電波を無線送受信アダプタ６が受信すると、赤色ＬＥＤ２１が赤色に点灯し、撮影スポットエリアＡ〜Ｉ内に入ったことを客に知らせる。また、赤色ＬＥＤ２１が点灯すると同時に、レンタルカメラ７のスピーカ１５からビープ音等の警告音が発せられる。
【００１６】
赤色ＬＥＤ２１が点灯を開始してから例えば５秒以内に利用ボタン２３を押すと、無線送受信アダプタ６から利用したい旨を示す利用希望信号が無線送受信機４に送信されると同時に、赤色ＬＥＤ２１が消灯して代わりに緑色ＬＥＤ２２が緑色に点灯し、スピーカ１５から発せられていた警告音が止む。利用希望信号を受信した無線送受信機４は、固定カメラ５が利用可能であるか否か確認する。
【００１７】
固定カメラ５が他の客によって利用中である場合には、何番目に利用可能となるかを無線送受信アダプタ６に送信する。そして、利用可能となった時点で、無線送受信機４から固定カメラ５が撮像しているモニタ画像の画像信号を送信する。これを無線送受信アダプタ６が受信すると、固定カメラ５によるモニタ画像がレンタルカメラ７の液晶ディスプレイ１８にリアルタイムに表示される。
【００１８】
また、赤色ＬＥＤ２１が点灯を開始してから、切りボタン２４を押すか、なにもせずに５秒を経過した際には、固定カメラ５を利用した遠隔撮影は行わないものとして赤色ＬＥＤ２１が消灯するとともにスピーカ１５からの警告音が止む。なお、客が撮影スポットエリアＡ〜Ｉ内にいれば、利用ボタン２３を押すことにより、固定カメラ５が利用可能な限り、いつでも固定カメラ５による遠隔撮影を行うことができる。
【００１９】
リモートズームボタン２５は、Ｔ側（望遠側）ボタン２５ａ，Ｗ側（広角側）ボタン２５ｂからなり、これらを押すことにより、固定カメラ５のズームレンズ２０のズーミング操作を遠隔操作してズームレンズ２０の撮影画角を変更できる。
【００２０】
リモートシャッタボタン２６は、これを押すことにより、固定カメラ５のシャッタを遠隔操作により切ることができる。固定カメラ５により撮影された画像の画像信号は、無線送受信機４によりアンテナ３から送信される。この画像信号が無線送受信アダプタ６によって受信されると、レンタルカメラ７によってデジタルの画像データに変換され、メモリカード２０に記憶される。このメモリカード２０に記憶された画像データは、レンタルカメラ７のモードを切り換えることにより、メモリカード２０から読み出されて液晶ディスプレイ１８に表示される。
【００２１】
なお、レンタルカメラ７は、無線送受信アダプタ６の利用ボタン２３を押してない時は、通常のデジタルカメラと全く同様に撮影を行うことができ、撮影した画像データはメモリカード２０に記憶される。
【００２２】
次に、図５に示すフローチャートを参照して本実施形態の作用を説明する。客は、テーマパークの入口２ａのサービスセンター２ｃで無線送受信アダプタ６付きのレンタルカメラ７を借りるとともに、無線送受信アダプタ６の使い方を係員から教わる。無線送受信アダプタ６付きのレンタルカメラ７の借賃は、後で受け取るメモリカード２０の代金及び固定カメラ５の利用料金を含む。
【００２３】
無線送受信アダプタ６は、レンタルカメラ７の電源を入れると同時にＵＳＢコネクタ１０及びＵＳＢプラグ１１を介してレンタルカメラ７から電源の供給を受け、作動を開始する。そして、無線送受信アダプタ６は、確認用の電波を常時発信する。
【００２４】
客がコース２に沿って進み、撮影スポットエリアＡ内に入ると、無線送受信アダプタ６から発信されている確認用の電波が無線送受信機４に受信される。無線送受信機４は、確認用の電波に含まれているＩＤ番号を検出して無線送受信アダプタ６がサービスセンター２ｃから貸し出されたものであることを確認してから、固定カメラ５の利用を促す電波を送信する。この電波を無線送受信アダプタ６が受信すると、赤色ＬＥＤ２１が点灯すると同時にスピーカ１５から警告音が鳴る。これにより、客は、自分が撮影スポットエリアＡ内に入ったことを知る。なお、無線送受信機４がＩＤ番号を検出できない場合には、固定カメラ５の利用を促す電波を送信せず、したがって赤色ＬＥＤ２１の点灯や警告音が発せられることはない。
【００２５】
客は、赤色ＬＥＤ２１が点灯を開始してから５秒以内に利用ボタン２３を押すと、無線送受信アダプタ６から利用したい旨を示す利用希望信号が無線送受信機４に送信されると同時に、赤色ＬＥＤ２１が消灯して代わりに緑色ＬＥＤ２２が緑色に点灯し、スピーカ１５から発せられていた警告音が止む。
【００２６】
利用希望信号を受信した無線送受信機４は、固定カメラ５が利用可能であるか否か確認する。固定カメラ５が他の客によって利用中である場合には、何番目に利用可能となるかを無線送受信アダプタ６に送信する。そして、利用可能となった時点で、無線送受信機４から固定カメラ５が撮像しているモニタ画像の画像信号を送信する。これを無線送受信アダプタ６が受信すると、固定カメラ５によるモニタ画像がレンタルカメラ７の液晶ディスプレイ１８にリアルタイムに表示される。
【００２７】
また、赤色ＬＥＤ２１が点灯を開始してから、切りボタン２４を押すか、なにもせずに５秒を経過した際には、固定カメラ５を利用した遠隔撮影は行わないものとして赤色ＬＥＤ２１が消灯するとともにスピーカ１５からの警告音が止む。なお、客が撮影スポットエリアＡ内にいる間であれば、利用ボタン２３を押すことにより、固定カメラ５が利用可能な限りはいつでも固定カメラ５による遠隔撮影を行うことができる。
【００２８】
レンタルカメラ７の液晶ディスプレイ１８に固定カメラ５によるモニタ画像が表示された後、リモートズームボタン２５を操作して所望の画角にセットする。この後、所望のタイミングでリモートシャッタボタン２６を押圧すると、固定カメラ５のシャッタが切られ、周知のように、その時の光学画像がＣＣＤイメージセンサにより電気信号に変換され、各種の信号処理工程を経てから、無線送受信機４によって送信される。
【００２９】
無線送受信機４から送信された画像信号が無線送受信アダプタ６に受信されると、レンタルカメラ７は、これをデジタルの画像データに変換してメモリカード２０に記憶する。画像を確認したい場合には、モードスイッチ１６を操作してカメラモードから画像鑑賞モードに切り換えると、メモリカード２０に記憶されている画像データが読み出されて液晶ディスプレイ１８に表示される。
【００３０】
固定カメラ５による遠隔撮影を止めたい場合には、切りボタン２４を押す。これにより、レンタルカメラ７は通常のデジタルカメラとして機能するようになるから、客はシャッタボタン９を押して自由に撮影を楽しむことができる。この撮影された画像データは、メモリカード２０に記憶される。
【００３１】
客が切りボタン２４を押さないまま撮影スポットエリアＡの外に出ると、モニタ画像の表示が消えるとともに、緑色ＬＥＤ２２が消灯するから、客は自分が撮影スポットエリアＡの外に出たことを知ることができる。また、客が次の撮影スポットエリアＢに入ると、撮影スポットエリアＡに入った時と全く同様に、赤色ＬＥＤ２１が点灯すると同時にスピーカ１５から警告音が鳴る。以下、撮影スポットエリアＢ〜Ｉ内での作用は、撮影スポットエリアＡ内での作用と同じであるから説明を省略する。
【００３２】
出口２ｂに到着した客は、サービスセンター２ｃに無線送受信アダプタ６付きのレンタルカメラ７を返し、メモリカード２０のみを受け取る。
【００３３】
次に、客が移動車両である電動カート２８に乗ってテーマパーク内のコース３０を進む実施形態を示す図６において、コース３０には、前記実施形態と同様に、撮影スポットエリアＡ〜Ｉが設定されており、各撮影スポットエリアＡ〜Ｉの中には、無線送受信機３１を接続した固定カメラ５と、電動カート２８を検知するセンサ３２とが設置されている。このセンサ３２は、固定カメラ５の撮影範囲に入る直前の電動カート２８を検知するように設置されており、固定カメラ５に電気的に接続されている。なお、無線送受信機３１のアンテナは無線送受信機３１に付設されている。
【００３４】
コース３０が敷設されたテーマパークの中央部には、画像データストックセンター３３が設置されている。この画像データストックセンター３３は、無線送受信機能を有し、各撮影スポットエリアＡ〜Ｉの無線送受信機３１から送信された撮影画像の画像信号を受信してｊｐｅｇ等の画像データに変換して大容量のバードディスクに記憶する。そして、出口３０ｂ近傍に設置されたセンサ３５が電動カート２８を検知すると、画像サイズの小さいプレビュー画像の画像信号を客が所持しているレンタルカメラ７に向けて送信する。
【００３５】
以下、図７に従って説明する。客は、テーマパークの入口３０ａのサービスセンター３０ｃで電動カート２８のキーと、無線送受信アダプタ６付きのレンタルカメラ７とを借り、基本的なレンタル料を支払う。
【００３６】
客は、電動カート２８に乗り込んでコース３０に沿って進む。客が乗った電動カート２８が撮影スポットエリアＡ内に入ると、無線送受信アダプタ６から発信されている確認用の電波が無線送受信機３１に受信される。無線送受信機３１は、確認用の電波に含まれている無線送受信アダプタ６のＩＤ番号を確認してから、固定カメラ５に自動撮影を指示する。
【００３７】
センサ３２が電動カート２８を検知すると、この検知信号を受けて固定カメラ５は、例えば３回連続して自動的にシャッタを切り、撮影した画像の画像信号を無線送受信アダプタ６のＩＤ番号を示す信号を付加して順次に無線送受信機３１から発信する。この発信周波数は、画像データストックセンター３３の受信周波数に合わせてあり、無線送受信アダプタ６によっては受信できないようにしてある。
【００３８】
無線送受信機３１から画像データストックセンター３３に送られた画像信号は、画像データに変換された後、無線送受信アダプタ６のＩＤ番号毎にハードディスクに記憶される。以下、各撮影スポットエリアＢ〜Ｉでも同様に固定カメラ５によって自動撮影された画像データが画像データストックセンター３３にストックされる。
【００３９】
一方、客は、レンタルカメラ７を通常のデジタルカメラと同様に操作して自由に撮影を楽しむ。レンタルカメラ７によって撮影された画像の画像データは、レンタルカメラ７に装填されているメモリカード２０に記憶される。
【００４０】
電動カート２８が出口３０ｂに近づくと、センサ３５が電動カート２８を検知して図示しない無線装置によって検出信号を画像データストックセンター３３に送る。これを受信した画像データストックセンター３３は、まず画像データのサイズが小さいプレビュー画像の画像信号を発信する。
【００４１】
画像データストックセンター３３から発信される画像信号の発信周波数は、無線送受信アダプタ６のＩＤ番号毎に異なる周波数に設定してあり、他のＩＤ番号を有する無線送受信アダプタでは受信できないようにされている。
【００４２】
プレビュー画像の画像信号を受信した無線送受信アダプタ６は、赤色ＬＥＤ２１を点灯するとともに、レンタルカメラ７にプレビュー画像の画像信号を送る。レンタルカメラ７は、スピーカ１５を駆動して警告音を発するとともに、プレビュー画像を液晶ディスプレイ１８にサムネイル表示する。プレビュー画像が表示されてから、例えば２秒経過後に警告音が止む。
【００４３】
客は、警告音とプレビュー画像によって自動撮影された画像があることを知り、画像データを購入したい場合には、利用ボタン２３を押し、購入したくない場合には、切りボタン２４を押す。利用ボタン２３を押すと、プレビュー画像に該当するフルサイズの画像データの画像信号が画像データストックセンター３３から送信される。これを無線送受信アダプタ６を介して受け取ったレンタルカメラ７は、メモリカード２０に画像データを記憶する。なお、利用ボタン２３を押すのは、電動カート２８を降りてからでもよい。
【００４４】
出口３０ｂに到着した客は、電動カート２８を降りてから、サービスセンター２ｃに電動カート２８のキーと、無線送受信アダプタ６付きのレンタルカメラ７とを返す。サービスセンター２ｃでは、メモリカード２０に記憶されている画像データ量に対応した額の料金と、メモリカード２０の代金を受け取ってから、客にメモリカード２０を渡す。
【００４５】
本実施形態では、固定カメラが自動撮影するようにしたが、本発明はこれに限定されることなく、最初の実施形態と同様に、客がリモートシャッタボタンを押して固定カメラのシャッタを切るようにしてもよい。また、移動車両として電動カートを用いたが、本発明はこれに限定されることなく、ガソリン車でもよいし、また複数の車両が繋がった電車のような乗り物等でもよい。
【００４６】
また、画像データストックセンターによって画像データをストックするようにしたが、撮影スポットエリアが１つの場合には、固定カメラのメモリカードに画像データを記憶しておき、電動カートがテーマパークの出口に到着した際に、無線送受信機からプレビュー画像の信号を発信するようにしてもよい。また、ストックされた画像データの転送タイミングは、出口近傍に限らず、電動カートが最後の撮影スポットエリアを出た直後でもよい。
【００４７】
また、固定カメラで自動撮影された画像の全てを購入するか否かとしたが、プレビュー画像から所望の画像のみを選択して購入できるようにしてもよい。この場合には、レンタルカメラが画像の指定機能を備えており、客が液晶ディスプレイに表示されたプレビュー画像を見ながら画像を指定した後、無線送受信アダプタの利用ボタンを押すと、指定された画像の画像データのみが画像データストックセンターから送信されるようにする。
【００４８】
最初に説明した実施形態では、無線送受信アダプタ付きのレンタルカメラを借りる際に、借賃に撮影枚数に関わりなくメモリカードの代金及び固定カメラ等の利用料金の全てを込みで先払いするようにしたが、レンタルカメラのレンタル料及びメモリカードの代金と、固定カメラの利用料金とを別々の料金体系としてもよい。また、固定カメラの利用料金は、１ショット毎に課金するようにしてもよい。また、レンタルカメラによる撮影と固定カメラによる撮影とを区別することなく、全ての撮影に対して一律に１ショット毎に課金するようにしてもよい。また、１ショット毎ではなく、データ量に課金してもよい。なお、上記客は、一人に限らず、家族等の多人数でもよいのは勿論である。
【００４９】
また、上記実施形態では、いずれも通信手段として無線を用いたが、撮影スポットエリアが狭い場合や、中継基地を設けることができる場合には、ブルーツース（Ｂｌｕｅｔｏｏｔｈ）（商標）を用いてもよい。
【００５０】
【発明の効果】
以上説明したように、本発明の遠隔撮影システムによれば、第２デジタルカメラが撮像するモニタ画像を無線により第１デジタルカメラの液晶ディスプレイに表示し、これを観察しながら第１デジタルカメラ側から遠隔操作により第２デジタルカメラのシャッタを切るようにしたので、自分の写真や集合写真等を自分で画像を確認して自分の好きなタイミングで撮影できる。また、自分が保持しているデジタルカメラでは決して得ることができない超ハイアングル等の画像も撮影できる。また、第１デジタルカメラ側から遠隔操作により第２デジタルカメラのズーミング動作を行うようにしたので、所望の画角で自分の写真や集合写真等を撮影できる。
【００５１】
また、エリア内に進入してきた移動車両上の被撮影者を第２デジタルカメラが自動撮影し、この画像データを画像データストック手段がストックしておき、最後のエリアの外に出た移動車両を位置検出手段が検出した際に、画像データストック手段が画像データのプレビュー画像を送信して第１デジタルカメラの液晶ディスプレイに表示し、第１無線通信手段から画像データを受け取る旨の指令信号を発信した際には、画像データストック手段が第２記憶媒体から画像データを読み出してその画像信号を送信し、第１デジタルカメラが画像信号を画像データに変換して第１記憶媒体に記憶するので、自分の写真や集合写真等を自分で画像を確認して手に入れることができる。
【図面の簡単な説明】
【図１】テーマパークの一例を示す説明図である。
【図２】撮影スポットエリア，レンタルカメラ，固定カメラの関係を示す説明図である。
【図３】レンタルカメラと無線送受信アダプタを示す斜視図である。
【図４】レンタルカメラと無線送受信アダプタを背面から示す平面図である。
【図５】本発明の遠隔撮影システムのシーケンスを示すフローチャートである。
【図６】客が電動カートに乗って移動する実施形態を示すテーマパークの概略図である。
【図７】図６に示す実施形態のシーケンスを示すフローチャートである。
【符号の説明】
２，３０　コース
３，１２　アンテナ
４，３１　無線送受信機
５　固定カメラ
６　無線送受信アダプタ
７　レンタルカメラ
１５　スピーカ
１８　液晶ディスプレイ
２０　メモリカード
２３　利用ボタン
２５　リモートズームボタン
２６　リモートシャッタボタン
２８　電動カート
３３　画像データストックセンター
【図１】
2004128842.tif 000003
【図２】
2004128842.tif 000004
【図３】
2004128842.tif 000005
【図４】
2004128842.tif 000006
【図５】
2004128842.tif 000007
【図６】
2004128842.tif 000008
【図７】
2004128842.tif 000009